(57)【要約】本発明の実施形態のアンテナ素子は、誘電層と、誘電層上に配置され、放射電極を含む上部電極層と、誘電層上に配置される下部電極層と、誘電層上で上部電極層及び下部電極層と一体に接続される屈曲接続部とを含む。屈曲接続部により、グランド層の接続を高信頼性で実現することができる。【選択図】図１
2021518070.tif 000002
【特許請求の範囲】
【請求項１】
誘電層と、
前記誘電層上に配置され、放射電極を含む上部電極層と、
前記誘電層上に配置される下部電極層と、
前記誘電層上で前記上部電極層及び前記下部電極層と一体に接続される屈曲接続部とを含む、アンテナ素子。
【請求項２】
前記誘電層は、屈曲誘電部を含み、前記屈曲誘電部によりベンディングされて上部誘電層及び下部誘電層が定義される、請求項１に記載のアンテナ素子。
【請求項３】
前記上部電極層は、前記上部誘電層の上面上に配置され、前記下部電極層は、前記下部誘電層の底面上に配置される、請求項２に記載のアンテナ素子。
【請求項４】
前記屈曲接続部は、前記屈曲誘電部の側面上に配置される、請求項２に記載のアンテナ素子。
【請求項５】
前記上部誘電層および前記下部誘電層によって段差が生じる、請求項１に記載のアンテナ素子。
【請求項６】
前記段差上に配置されるセンサー構造物または光学フィルムをさらに含む、請求項５に記載のアンテナ素子。
【請求項７】
前記上部電極層は、グランドパッドをさらに含む、請求項１に記載のアンテナ素子。
【請求項８】
前記屈曲接続部は、前記グランドパッド及び前記下部電極層と一体に接続される、請求項７に記載のアンテナ素子。
【請求項９】
前記屈曲接続部は、前記グランドパッドから分岐される複数の屈曲ラインを含む、請求項７に記載のアンテナ素子。
【請求項１０】
前記上部電極層は、前記放射電極から延長され、前記グランドパッドと隣接するように配置される伝送線路をさらに含む、請求項７に記載のアンテナ素子。
【請求項１１】
前記上部電極層は、複数の放射電極と、前記複数の放射電極のそれぞれとカップリングされる複数のグランドパッドとを含み、
前記下部電極層は、前記複数のグランドパッドと複数の屈曲接続部により一体に接続される、請求項７に記載のアンテナ素子。
【請求項１２】
前記上部電極層、前記屈曲接続部および前記下部電極層は、同じ導電物質を含む、請求項１に記載のアンテナ素子。
【請求項１３】
前記上部電極層、前記屈曲接続部および前記下部電極層は、銀（Ａｇ）、金（Ａｕ）、銅（Ｃｕ）、アルミニウム（Ａｌ）、白金（Ｐｔ）、パラジウム（Ｐｄ）、クロム（Ｃｒ）、チタン（Ｔｉ）、タングステン（Ｗ）、ニオブ（Ｎｂ）、タンタル（Ｔａ）、バナジウム（Ｖ）、鉄（Ｆｅ）、マンガン（Ｍｎ）、コバルト（Ｃｏ）、ニッケル（Ｎｉ）、亜鉛（Ｚｎ）、スズ（Ｓｎ）、モリブデン（Ｍｏ）及びこれらの合金からなる群より選択される少なくとも一つを含む、請求項１２に記載のアンテナ素子。
【請求項１４】
前記上部電極層および前記下部電極層は、互いに異なる導電物質を含む、請求項１に記載のアンテナ素子。
【請求項１５】
前記放射電極は、メッシュ構造を含む、請求項１に記載のアンテナ素子。
【請求項１６】
前記下部電極層は、メッシュ構造を含む、請求項１４に記載のアンテナ素子。 
【請求項１７】
前記放射電極の周辺に配列されたダミーメッシュ層をさらに含む、請求項１５に記載のアンテナ素子。
【請求項１８】
請求項１〜１７のいずれか一項に記載のアンテナ素子を含む、ディスプレイ装置。
【発明の詳細な説明】
【技術分野】
【０００１】
本発明は、アンテナ素子及びそれを含むディスプレイ装置に関する。より詳細には、電極及び誘電層を含むアンテナ素子、並びにそれを含むディスプレイ装置に関する。
【背景技術】
【０００２】
近年、情報化社会が進展するにつれて、ワイファイ（Ｗｉ−Ｆｉ）、ブルートゥース（Ｂｌｕｅｔｏｏｔｈ：登録商標）などの無線通信技術がディスプレイ装置と結合され、例えばスマートフォンの形で実現されている。この場合には、アンテナが前記ディスプレイ装置に結合され、通信機能を実行することができる。
【０００３】
最近では、移動通信技術が進化するにつれて、超高周波帯域の通信を行うためのアンテナが前記ディスプレイ装置に結合される必要がある。
【０００４】
また、アンテナが搭載されるディスプレイ装置がより薄型、軽量化されることによって、前記アンテナが占めるスペースも減少し得る。このため、限られたスペースの中で、高周波、広帯域信号の送受信を同時に実現するには限界がある。
【０００５】
したがって、前記薄型ディスプレイ装置にフィルムまたはパッチの形でアンテナを適用する必要があり、前述した高周波通信を実現するためには、薄型構造にもかかわらず放射特性の信頼性を確保するための研究が求められる。 
【０００６】
例えば、アンテナに含まれる電極、パッドを接続するために、追加の相互接続構造物が必要となる。前記相互接続構造物を形成すると、アンテナの厚さが増加し、ディスプレイ装置の他の画素構造又はセンシング構造の動作との相互干渉、ノイズを発生させることがある。
【０００７】
例えば、韓国公開特許第２０１３−００９５４５１号は、ディスプレイパネルに一体化されたアンテナを開示しているが、前述した問題点の解決策は提示していない。
【発明の概要】
【発明が解決しようとする課題】
【０００８】
本発明の課題は、向上した信号効率および信頼性を有するアンテナ素子を提供することである。 
【０００９】
本発明の課題は、向上した信号効率および信頼性を有するアンテナ素子を含むディスプレイ装置を提供することである。
【課題を解決するための手段】
【００１０】
１．誘電層と、前記誘電層上に配置され、放射電極を含む上部電極層と、前記誘電層上に配置される下部電極層と、前記誘電層上で前記上部電極層および前記下部電極層と一体に接続される屈曲接続部とを含む、アンテナ素子。
【００１１】
２．前記項目１において、前記誘電層は、屈曲誘電部を含み、前記屈曲誘電部によりベンディングされて上部誘電層及び下部誘電層が定義される、アンテナ素子。
【００１２】
３．前記項目２において、前記上部電極層は、前記上部誘電層の上面上に配置され、前記下部電極層は、前記下部誘電層の底面上に配置される、アンテナ素子。
【００１３】
４．前記項目２において、前記屈曲接続部は、前記屈曲誘電部の側面上に配置される、アンテナ素子。
【００１４】
５．前記項目１において、前記上部誘電層および前記下部誘電層によって段差が生じる、アンテナ素子。
【００１５】
６．前記項目５において、前記段差上に配置されるセンサー構造物または光学フィルムをさらに含む、アンテナ素子。
【００１６】
７．前記項目１において、前記上部電極層は、グランドパッドをさらに含む、アンテナ素子。
【００１７】
８．前記項目７において、前記屈曲接続部は、前記グランドパッド及び前記下部電極層と一体に接続される、アンテナ素子。
【００１８】
９．前記項目７において、前記屈曲接続部は、前記グランドパッドから分岐される複数の屈曲ラインを含む、アンテナ素子。
【００１９】
１０．前記項目７において、前記上部電極層は、前記放射電極から延長され、前記グランドパッドと隣接するように配置される伝送線路をさらに含む、アンテナ素子。
【００２０】
１１．前記項目７において、前記上部電極層は、複数の放射電極と、前記複数の放射電極のそれぞれとカップリングされる複数のグランドパッドとを含み、
前記下部電極層は、前記複数のグランドパッドと複数の屈曲接続部により一体に接続される、アンテナ素子。
【００２１】
１２．前記項目１において、前記上部電極層、前記屈曲接続部および前記下部電極層は、同じ導電物質を含む、アンテナ素子。
【００２２】
１３．前記項目１２において、前記上部電極層、前記屈曲接続部および前記下部電極層は、銀（Ａｇ）、金（Ａｕ）、銅（Ｃｕ）、アルミニウム（Ａｌ）、白金（Ｐｔ）、パラジウム（Ｐｄ）、クロム（Ｃｒ）、チタン（Ｔｉ）、タングステン（Ｗ）、ニオブ（Ｎｂ）、タンタル（Ｔａ）、バナジウム（Ｖ）、鉄（Ｆｅ）、マンガン（Ｍｎ）、コバルト（Ｃｏ）、ニッケル（Ｎｉ）、亜鉛（Ｚｎ）、スズ（Ｓｎ）、モリブデン（Ｍｏ）及びこれらの合金からなる群より選択される少なくとも一つを含む、アンテナ素子。
【００２３】
１４．前記項目１において、前記上部電極層および前記下部電極層は、互いに異なる導電物質を含む、アンテナ素子。
【００２４】
１５．前記項目１において、前記放射電極は、メッシュ構造を含む、アンテナ素子。
【００２５】
１６．前記項目１４において、前記下部電極層は、メッシュ構造を含む、アンテナ素子。 
【００２６】
１７．前記項目１５において、前記放射電極の周辺に配列されたダミーメッシュ層をさらに含む、アンテナ素子。
【００２７】
１８．前記項目１〜１７のいずれかに記載のアンテナ素子を含む、ディスプレイ装置。
【発明の効果】
【００２８】
本発明の実施形態に係るアンテナ素子において、上部グランドパッド及び下部電極層は、屈曲接続部によって一体に接続することができる。上部グランドパッドを前記下部電極層に接続することにより、放射電極における共振周波数の変動、放射特性の妨害などを防止し、放射及び信号信頼性を向上することができる。
【００２９】
また、前記屈曲接続部により、コンタクト、回路基板のような別の導電部材を形成または挿入しなくても、上部グランドパッド及び下部グランドの相互接続を容易に実現することができる。また、前記コンタクトまたは回路基板の使用時に引き起こされるアンテナ素子の厚さの増加、前記導電部材による自体ノイズの発生などを抑制することができる。
【００３０】
前記アンテナ素子は、３Ｇ以上、例えば５Ｇ高周波帯域の送受信が可能な移動通信機器を含むディスプレイ装置に、例えばフィルムアンテナの形で適用され、放射特性および透過度のような光学特性を共に向上させることができる。
【図面の簡単な説明】
【００３１】
【図１】図１は、例示的な実施形態に係るアンテナ素子を示す概略平面図である。
【図２】図２は、例示的な実施形態における屈曲された状態のアンテナ素子を示す平面図である。
【図３】図３は、例示的な実施形態における屈曲された状態のアンテナ素子を示す側面図である。
【図４】図４は、例示的な実施形態における屈曲された状態のアンテナ素子を示す側面図である。
【図５】図５は、いくつかの例示的な実施形態に係るアンテナ素子を示す概略平面図である。
【図６】図６は、いくつかの例示的な実施形態における屈曲された状態のアンテナ素子を示す側面図である。
【図７】図７は、いくつかの例示的な実施形態に係るアンテナ素子を示す概略平面図である。
【図８】図８は、いくつかの例示的な実施形態に係るアンテナ素子を示す概略平面図である。
【図９】図９は、いくつかの例示的な実施形態に係るアンテナ素子を示す概略側面図である。
【図１０】図１０は、例示的な実施形態に係るディスプレイ装置を説明するための概略平面図である。
【発明を実施するための形態】
【００３２】
本発明の実施形態は、上部電極層および下部電極層を含み、前記上部電極層および下部電極層が誘電層を挟んで屈曲接続部によって互いに接続されているアンテナ素子を提供するものである。 
【００３３】
前記アンテナ素子は、例えば、透明フィルムの形で製作されるマイクロストリップパッチアンテナ（microstrip patch antenna）であってもよい。前記アンテナ素子は、例えば、３Ｇ〜５Ｇ移動通信のための通信機器に適用できる。
【００３４】
また、本発明の実施形態は、前記アンテナ素子を含むディスプレイ装置を提供するものである。
【００３５】
以下、図面を参照して、本発明の実施形態をより具体的に説明する。ただし、本明細書に添付される図面は、本発明の好適な実施形態を例示するものであって、発明の詳細な説明とともに本発明の技術思想をさらに理解する一助となる役割を果たすものであるため、本発明は図面に記載された事項のみに限定されて解釈されるものではない。
【００３６】
図１は、例示的な実施形態に係るアンテナ素子を示す概略平面図である。図２〜４は、例示的な実施形態における屈曲された状態のアンテナ素子を示す平面図及び側面図である。
【００３７】
具体的には、図１は、屈曲前のアンテナ素子を示す平面図である。図２は、屈曲後のアンテナ素子の平面図である。図３は、屈曲後のアンテナ素子の第２方向からの側面図である。図４は、屈曲後のアンテナ素子の第１方向からの側面図である。
【００３８】
図１において、誘電層１００の上面に平行であり、互いに交差する二つの方向を第１方向及び第２方向に定義する。例えば、前記第１方向及び第２方向は、互いに垂直に交差することができる。誘電層１００の上面に対して垂直な方向は、第３方向に定義される。例えば、前記第１方向は前記アンテナ素子の幅方向、前記第２方向は前記アンテナ素子の長さ方向、前記第３方向は前記アンテナ素子の厚さ方向に相当し得る。前記方向の定義は、他の図面でも同様に適用できる。
【００３９】
図１を参照すると、前記アンテナ素子は、誘電層１００上に形成された上部電極層１３０および下部電極層１１０を含むことができる。前記アンテナ素子は、下部電極層１１０および上部電極層１３０を接続する屈曲接続部１２０を含むことができる。
【００４０】
誘電層１００は、例えば、折り曲げできる柔軟性を有する透明樹脂物質を含むことができる。例えば、誘電層１００は、ポリエチレンテレフタレート、ポリエチレンイソフタレート、ポリエチレンナフタレート、ポリブチレンテレフタレートなどのポリエステル系樹脂；ジアセチルセルロース、トリアセチルセルロースなどのセルロース系樹脂；ポリカーボネート系樹脂；ポリメチル（メタ）アクリレート、ポリエチル（メタ）アクリレートなどのアクリル系樹脂；ポリスチレン、アクリロニトリル−スチレン共重合体などのスチレン系樹脂；ポリエチレン、ポリプロピレン、シクロ系またはノルボルネン構造を有するポリオレフィン、エチレン−プロピレン共重合体などのポリオレフィン系樹脂；塩化ビニル系樹脂；ナイロン、芳香族ポリアミドなどのアミド系樹脂；イミド系樹脂；ポリエーテルスルホン系樹脂；スルホン系樹脂；ポリエーテルエーテルケトン系樹脂；硫化ポリフェニレン系樹脂；ビニルアルコール系樹脂；塩化ビニリデン系樹脂；ビニルブチラル系樹脂；アリレート系樹脂；ポリオキシメチレン系樹脂；エポキシ系樹脂などの熱可塑性樹脂を含むことができる。これらは、単独であるいは２以上を組み合わせて使用することができる。
【００４１】
また、（メタ）アクリル系、ウレタン系、アクリルウレタン系、エポキシ系、シリコーン系などの熱硬化性樹脂または紫外線硬化型樹脂からなる透明フィルムを誘電層１００として活用してもよい。いくつかの実施形態では、また、光学透明粘着剤（Optically clear Adhesive：ＯＣＡ）、光学透明樹脂（Optically Clear Resin：ＯＣＲ）などの粘接着フィルムが誘電層１００に含まれ得る。
【００４２】
いくつかの実施形態では、誘電層１００は、ガラス、シリコン酸化物、シリコン窒化物、シリコン酸窒化物などの無機絶縁物質を含むこともできる。
【００４３】
図１に示すように、誘電層１００は、第１領域（Ｉ）、第２領域（ＩＩ）及び第３領域（ＩＩＩ）を含むことができる。例示的な実施形態によると、誘電層１００の第３領域（ＩＩＩ）は、屈曲領域で提供できる。誘電層１００が第３領域（ＩＩＩ）によって屈曲された後、第１領域（Ｉ）及び第２領域（ＩＩ）は、それぞれ上部領域及び下部領域で提供できる。
【００４４】
誘電層１００によって上部電極層１３０と下部電極層１１０との間で静電容量（capacitance）又はインダクタンス（inductance）が形成され、前記アンテナ素子が駆動又はセンシングできる周波数帯域を調節することができる。いくつかの実施形態では、誘電層１００の誘電率は、約１．５〜１２の範囲に調節できる。前記誘電率が約１２を超えると、駆動周波数が減少しすぎて、所望の高周波帯域での駆動を実現できないことがある。
【００４５】
上部電極層１３０は、誘電層１００の第１領域（Ｉ）上に配置され、放射電極１３２及びグランドパッド１３６を含むことができる。上部電極層１３０は、放射電極１３２から分岐されて延長する伝送線路１３４をさらに含むこともできる。例えば、伝送線路１３４は、放射電極１３２の中央部からグランドパッド１３６側に延長することができる。
【００４６】
グランドパッド１３６は、伝送線路１３４の末端部周辺に配置することができる。例えば、グランドパッド１３６は、リセス（recess）を含み、伝送線路１３４の前記末端部を前記リセス内に挿入することができる。一実施形態では、伝送線路１３４の前記末端部は、グランドパッド１３６と離隔したまま、前記リセス内でグランドパッド１３６と隣接するように配置することができる。
【００４７】
グランドパッド１３６を伝送線路１３４の周辺に配置することにより、伝送線路１３４を介して放射信号の送受信時に発生するノイズを効率的にフィルタリング又は低減することができる。
【００４８】
下部電極層１１０は、誘電層１００の第２領域（ＩＩ）上に配置することができる。例示的な実施形態によると、下部電極層１１０は、前記アンテナ素子の下部グランド層で提供することができる。
【００４９】
図１に示すように、下部電極層１１０は、平面上で上部電極層（例えば、放射電極１３２）よりも広い面積を持つことができる。いくつかの実施形態では、下部電極層１１０の前記第１方向及び第２方向への長さは、それぞれ上部電極層１３０よりも大きくてもよい。
【００５０】
屈曲接続部１２０は、誘電層１００の第３領域（ＩＩＩ）上に配置することができる。例示的な実施形態によると、屈曲接続部１２０は、下部電極層１１０と上部電極層１３０を互いに電気的に接続することができる。また、屈曲接続部１２０は、下部電極層１１０及び上部電極層１３０と一体に接続され、実質的に単一の部材として提供することができる。
【００５１】
いくつかの実施形態において、屈曲接続部１２０は、下部電極層１１０及び上部電極層１３０のグランドパッド１３６と一体に接続することができる。
【００５２】
上部電極層１３０、下部電極層１１０および屈曲接続部１２０は、互いに同一または異なる導電性物質を含むことができる。いくつかの実施形態では、上部電極層１３０、下部電極層１１０及び屈曲接続部１２０は、同じ金属物質を含むことができる。この場合、実質的に単一のパターニング工程により一括して形成することができる。
【００５３】
例えば、上部電極層１３０、下部電極層１１０及び屈曲接続部１２０は、 銀（Ａｇ）、金（Ａｕ）、銅（Ｃｕ）、アルミニウム（Ａｌ）、白金（Ｐｔ）、パラジウム（Ｐｄ）、クロム（Ｃｒ）、チタン（Ｔｉ）、タングステン（Ｗ）、ニオブ（Ｎｂ）、タンタル（Ｔａ）、バナジウム（Ｖ）、鉄（Ｆｅ）、マンガン（Ｍｎ）、コバルト（Ｃｏ）、ニッケル（Ｎｉ）、亜鉛（Ｚｎ）、スズ（Ｓｎ）、モリブデン（Ｍｏ）又はこれらの合金を含むことができる。これらは、単独であるいは２以上を組み合わせて使用することができる。例えば、低抵抗の実現のために、銀（Ａｇ）または銀合金（例えば銀−パラジウム−銅（ＡＰＣ）合金）を使用することができる。
【００５４】
いくつかの実施形態では、上部電極層１３０および下部電極層１１０は、互いに異なる導電物質を含むことができる。例えば、上部電極層１３０は、前述した金属または合金を、下部電極層１１０は、インジウムスズ酸化物（ＩＴＯ）、インジウム亜鉛酸化物（ＩＺＯ）などの透明導電性酸化物を含むことができる。
【００５５】
図２〜図４を参照すると、図１に示すアンテナ素子は、誘電層１００の第３領域（ＩＩＩ）により屈曲して折り曲げることができる。これにより、上部電極層１３０及び下部電極層１１０は、図２及び図４に示すように前記第３方向に重畳することができる。
【００５６】
誘電層１００の折り曲げにより、誘電層１００は、上部誘電層１０２と下部誘電層１０４に区分することができる。また、誘電層１００の第３領域（ＩＩＩ）は、屈曲誘電部１０６に変換できる。例えば、誘電層１００は、屈曲誘電部１０６によって実質的に完全に折り畳まれて、上部誘電層１０２と下部誘電層１０４が互いに接触することができる。
【００５７】
これにより、上部電極層１３０は、上部誘電層１０２の上面上に配置し、下部電極層１１０は、下部誘電層１０４の底面上に配置することができる。図３に示すように、屈曲接続部１２０は、屈曲誘電部１０６の側面に沿って共にベンディングされ得る。屈曲接続部１２０は、屈曲誘電部１０６の前記側面上でグランドパッド１３６及び下部電極層１１０と一体に接続することができる。
【００５８】
図２に点線で示すように、下部電極層１１０は、平面上で上部電極層１３０または放射電極１３２を全体的に包括するように重畳することができる。これにより、誘電層１００によるインダクタンス形成効率が増加し、グランドパッド１３６と接続されて接地効率が向上できる。
【００５９】
前述したように、屈曲接続部１２０を介して上部電極層１３０のグランドパッド１３６と下部電極層１１０を互いに接続することができる。これにより、グランドパッド１３６から発生し得るノイズまたは信号干渉を下部電極層１１０により接地、除去することができる。したがって、放射電極１３２の共振周波数のような放射特性の変動なしに信頼性のある信号送受信を実現することができる。
【００６０】
また、例示的な実施形態によると、グランドパッド１３６及び下部電極層１１０と一体に形成された屈曲接続部１２０のベンディング動作によって、上部及び下部電極層の相互接続を容易に実現することができる。
【００６１】
比較例では、アンテナの上部電極及び下部電極を接続する方法として、コンタクトを誘電層内に形成することや、プリント回路基板（ＦＰＣＢ）を使用することが考えられる。しかし、前記コンタクトを活用する場合には、エッチング工程のために誘電層の厚さが増加し、前記誘電層内でのインダクタンスを妨害することがある。また、ＦＰＣＢを使用する場合には、製造コストが増加し、ボンディング部材によるノイズが増加することがある。
【００６２】
これに対して、前述した例示的な実施形態によると、初期に同一平面上で屈曲接続部１２０をグランドパッド１３６及び下部電極層１１０と一体に形成した後、誘電層１００のベンディングと共に上部及び下部電極層１３０，１１０を定義することができる。これにより、コンタクト及びＦＰＣＢのような別の導電性部材なしに、上部及び下部電極層１３０，１１０の相互接続を容易に実現することができる。
【００６３】
図５は、いくつかの例示的な実施形態に係るアンテナ素子を示す概略平面図である。図６は、いくつかの例示的な実施形態における屈曲された状態のアンテナ素子を示す側面図である。図１〜図４と実質的に同一または類似の構成及び／又は構造については詳細な説明を省略する。
【００６４】
図５及び図６を参照すると、誘電層１００の第３領域（ＩＩＩ）または屈曲誘電部１０６上には屈曲接続部１２２を配置することができる。いくつかの実施形態では、屈曲接続部１２２は、複数の屈曲ラインを含むことができる。
【００６５】
例えば、屈曲接続部１２２は、第１屈曲ライン１２２ａ及び第２屈曲ライン１２２ｂを含むことができる。第１屈曲ライン１２２ａ及び第２屈曲ライン１２２ｂは、それぞれグランドパッド１３６から分岐して下部電極層１１０と一体に接続することができる。
【００６６】
屈曲接続部１２２を複数の屈曲ラインに分離することにより、ベンディング動作時に発生する応力を分散させることができる。これにより、前記ベンディング動作時の屈曲接続部１２２のクラックまたは破断による電気的接続不良を防止することができる。  
【００６７】
図７は、いくつかの例示的な実施形態に係るアンテナ素子を示す概略平面図である。
【００６８】
図７を参照すると、上部電極層は、複数の放射電極を含み、複数のグランドパッドを一つの下部電極層１１０とそれぞれ屈曲接続部を介して電気的に接続することができる。
【００６９】
いくつかの実施形態によると、前記上部電極層は、第１放射電極１３２ａと、第２放射電極１３２ｂと、第３放射電極１３２ｃとを含むことができる。第１〜第３放射電極１３２ａ，１３２ｂ，１３２ｃは、それぞれ第１〜第３伝送線路１３４ａ，１３４ｂ，１３４ｃを介して第１〜第３グランドパッド１３６ａ，１３６ｂ，１３６ｃとカップルリングすることができる。
【００７０】
第１〜第３屈曲接続部１２０ａ，１２０ｂ，１２０ｃは、それぞれ第１〜第３グランドパッド１３６ａ，１３６ｂ，１３６ｃから延長し、下部電極層１１０と一体に接続することができる。
【００７１】
屈曲接続部１２０ａ，１２０ｂ，１２０ｃは、誘電層１００の第３領域（ＩＩＩ）により共にベンディングされ、下部電極層１１０は、誘電層１００を挟んで放射電極１３２ａ，１３２ｂ，１３２ｃと向かい合うように配置することができる。
【００７２】
下部電極層１１０は、前記ベンディングの後、平面上で第１〜第３放射電極１３２ａ，１３２ｂ，１３２ｃをすべて包括するように十分な面積を持つことができる。
【００７３】
下部電極層１１０を介して複数のグランドパッド１３６ａ，１３６ｂ，１３６ｃが接続されるので、接地、ノイズ吸収の抵抗を低減することができる。いくつかの実施形態では、第１〜第３放射電極１３２ａ，１３２ｂ，１３２ｃは、異なる位相を有することができる。この場合には、１つの下部電極層１１０によって位相差配列アンテナを実現できるので、信号の送受信効率を向上することができる。
【００７４】
図８は、いくつかの例示的な実施形態に係るアンテナ素子を示す概略平面図である。
【００７５】
図８を参照すると、前記アンテナ素子の上部電極層２３０は、メッシュ構造を含むことができる。例示的な実施形態によると、放射電極２３２は、メッシュ構造を含む。これにより、前記アンテナ素子の透過率を向上することができる。
【００７６】
放射電極２３２の周辺には、ダミーメッシュ層２４０を誘電層上に配置することができる。ダミーメッシュ層２４０および放射電極２３２は、実質的に同一の形態のメッシュ構造を含むことができる。ダミーメッシュ層２４０によって放射電極２３２の周辺の電極配列を均一化し、前記メッシュ構造又はそれに含まれる電極ラインが、前記アンテナ素子が適用されるディスプレイ装置のユーザに視認されることを防止することができる。
【００７７】
例えば、メッシュ金属層が誘電層１００上に形成され、前記メッシュ金属層が所定の領域に沿って切断され、ダミーメッシュ層２４０を放射電極２３２から電気的、物理的に隔離させることができる。
【００７８】
いくつかの実施形態では、上部電極層２３０の伝送線路２３４及びグランドパッド２３６、屈曲接続部２２０及び／又は下部電極層２１０もまた前記メッシュ構造を含むことができる。また、ダミーメッシュ層２４０は、誘電層１００の第１領域（Ｉ）、第２領域（ＩＩ）及び第３領域（ＩＩＩ）にわたって形成され、屈曲接続部２２０および下部電極層２１０の周辺にも配置することができる。
【００７９】
図９は、いくつかの例示的な実施形態に係るアンテナ素子を示す概略側面図である。
【００８０】
図９を参照すると、前述したように、誘電層１００が屈曲誘電部１０６によりベンディングされ、上部誘電層１０２および下部誘電層１０４が定義され得る。
【００８１】
下部誘電層１０４の底面上に配置された下部電極層１１０が上部電極層１３０を十分に包括するように、下部誘電層１０４の第２方向への長さは上部誘電層１０２よりも大きくてもよい。これにより、上部誘電層１０２により覆われていない部分によって段差が生じ得る。
【００８２】
例示的な実施形態によると、前記段差により露出した下部誘電層１０４の上面上に機能性構造物１５０が配置され、前記段差を除去しながらスペース効率を向上することができる。
【００８３】
例えば、機能性構造物１５０は、ディスプレイ装置に搭載されるタッチセンサー、ＩＯＴセンサーなどのセンサー構造物、または偏光板、リターダなどの光学フィルムなどを含むことができる。
【００８４】
図１０は、例示的な実施形態に係るディスプレイ装置を説明するための概略平面図である。例えば、図１０は、ディスプレイ装置のウインドウを含む外部形状を示している。
【００８５】
図１０を参照すると、ディスプレイ装置３００は、表示領域３１０及び周辺領域３２０を含むことができる。周辺領域３２０は、例えば、表示領域３１０の両側部及び／又は両端部に配置することができる。
【００８６】
いくつかの実施形態では、前述したアンテナ素子は、ディスプレイ装置３００の周辺領域３２０にパッチまたはフィルムの形で挿入することができる。いくつかの実施形態では、前記アンテナ素子の放射電極および下部電極層は、表示領域３１０と少なくとも部分的に重畳するように配置することができる。前述のように、前記下部電極層は、屈曲接続部によりベンディングされ、前記放射電極と共に表示領域３１０内に配置され得る。例えば、図８に示すように、メッシュ構造を利用して、前記放射電極がユーザに視認されることを低減することができる。
【００８７】
周辺領域３２０は、例えば、画像表示装置の遮光部又はベゼル部に相当し得る。周辺領域３２０内には、前記アンテナ素子の駆動特性および放射特性を調節し、給電信号を供給するための集積回路（ＩＣ）チップを配置することができる。
【図１】
2021518070.tif 000003
【図２】
2021518070.tif 000004
【図３】
2021518070.tif 000005
【図４】
2021518070.tif 000006
【図５】
2021518070.tif 000007
【図６】
2021518070.tif 000008
【図７】
2021518070.tif 000009
【図８】
2021518070.tif 000010
【図９】
2021518070.tif 000011
【図１０】
2021518070.tif 000012
【手続補正書】
【提出日】令和3年2月5日(2021.2.5)
【手続補正１】
【補正対象書類名】明細書
【補正対象項目名】全文
【補正方法】変更
【補正の内容】
【発明の詳細な説明】
【技術分野】
【０００１】
本発明は、アンテナ素子及びそれを含むディスプレイ装置に関する。より詳細には、電極及び誘電層を含むアンテナ素子、並びにそれを含むディスプレイ装置に関する。
【背景技術】
【０００２】
近年、情報化社会が進展するにつれて、ワイファイ（Ｗｉ−Ｆｉ）、ブルートゥース（Ｂｌｕｅｔｏｏｔｈ：登録商標）などの無線通信技術がディスプレイ装置と結合され、例えばスマートフォンの形で実現されている。この場合には、アンテナが前記ディスプレイ装置に結合され、通信機能を実行することができる。
【０００３】
最近では、移動通信技術が進化するにつれて、超高周波帯域の通信を行うためのアンテナが前記ディスプレイ装置に結合される必要がある。
【０００４】
また、アンテナが搭載されるディスプレイ装置がより薄型、軽量化されることによって、前記アンテナが占めるスペースも減少し得る。このため、限られたスペースの中で、高周波、広帯域信号の送受信を同時に実現するには限界がある。
【０００５】
したがって、前記薄型ディスプレイ装置にフィルムまたはパッチの形でアンテナを適用する必要があり、前述した高周波通信を実現するためには、薄型構造にもかかわらず放射特性の信頼性を確保するための研究が求められる。
【０００６】
例えば、アンテナに含まれる電極、パッドを接続するために、追加の相互接続構造物が必要となる。前記相互接続構造物を形成すると、アンテナの厚さが増加し、ディスプレイ装置の他の画素構造又はセンシング構造の動作との相互干渉、ノイズを発生させることがある。
【０００７】
例えば、韓国公開特許第２０１３−００９５４５１号は、ディスプレイパネルに一体化されたアンテナを開示しているが、前述した問題点の解決策は提示していない。
【発明の概要】
【発明が解決しようとする課題】
【０００８】
本発明の課題は、向上した信号効率および信頼性を有するアンテナ素子を提供することである。
【０００９】
本発明の課題は、向上した信号効率および信頼性を有するアンテナ素子を含むディスプレイ装置を提供することである。
【課題を解決するための手段】
【００１０】
１．誘電層と、前記誘電層上に配置され、放射電極を含む上部電極層と、前記誘電層上に配置される下部電極層と、前記誘電層上で前記上部電極層および前記下部電極層と一体に接続される屈曲接続部とを含む、アンテナ素子。
【００１１】
２．前記項目１において、前記誘電層は、屈曲誘電部を含み、前記屈曲誘電部によりベンディングされて上部誘電層及び下部誘電層が定義される、アンテナ素子。
【００１２】
３．前記項目２において、前記上部電極層は、前記上部誘電層の上面上に配置され、前記下部電極層は、前記下部誘電層の底面上に配置される、アンテナ素子。
【００１３】
４．前記項目２において、前記屈曲接続部は、前記屈曲誘電部の側面上に配置される、アンテナ素子。
【００１４】
５．前記項目２において、前記上部誘電層および前記下部誘電層によって段差が生じる、アンテナ素子。
【００１５】
６．前記項目５において、前記段差上に配置されるセンサー構造物または光学フィルムをさらに含む、アンテナ素子。
【００１６】
７．前記項目１において、前記上部電極層は、グランドパッドをさらに含む、アンテナ素子。
【００１７】
８．前記項目７において、前記屈曲接続部は、前記グランドパッド及び前記下部電極層と一体に接続される、アンテナ素子。
【００１８】
９．前記項目７において、前記屈曲接続部は、前記グランドパッドから分岐される複数の屈曲ラインを含む、アンテナ素子。
【００１９】
１０．前記項目７において、前記上部電極層は、前記放射電極から延長され、前記グランドパッドと隣接するように配置される伝送線路をさらに含む、アンテナ素子。
【００２０】
１１．前記項目７において、前記上部電極層は、複数の放射電極と、前記複数の放射電極のそれぞれとカップリングされる複数のグランドパッドとを含み、
前記下部電極層は、前記複数のグランドパッドと複数の屈曲接続部により一体に接続される、アンテナ素子。
【００２１】
１２．前記項目１において、前記上部電極層、前記屈曲接続部および前記下部電極層は、同じ導電物質を含む、アンテナ素子。
【００２２】
１３．前記項目１２において、前記上部電極層、前記屈曲接続部および前記下部電極層は、銀（Ａｇ）、金（Ａｕ）、銅（Ｃｕ）、アルミニウム（Ａｌ）、白金（Ｐｔ）、パラジウム（Ｐｄ）、クロム（Ｃｒ）、チタン（Ｔｉ）、タングステン（Ｗ）、ニオブ（Ｎｂ）、タンタル（Ｔａ）、バナジウム（Ｖ）、鉄（Ｆｅ）、マンガン（Ｍｎ）、コバルト（Ｃｏ）、ニッケル（Ｎｉ）、亜鉛（Ｚｎ）、スズ（Ｓｎ）、モリブデン（Ｍｏ）及びこれらの合金からなる群より選択される少なくとも一つを含む、アンテナ素子。
【００２３】
１４．前記項目１において、前記上部電極層および前記下部電極層は、互いに異なる導電物質を含む、アンテナ素子。
【００２４】
１５．前記項目１において、前記放射電極は、メッシュ構造を含む、アンテナ素子。
【００２５】
１６．前記項目１４において、前記下部電極層は、メッシュ構造を含む、アンテナ素子。
【００２６】
１７．前記項目１５において、前記放射電極の周辺に配列されたダミーメッシュ層をさらに含む、アンテナ素子。
【００２７】
１８．前記項目１〜１７のいずれかに記載のアンテナ素子を含む、ディスプレイ装置。
【発明の効果】
【００２８】
本発明の実施形態に係るアンテナ素子において、上部グランドパッド及び下部電極層は、屈曲接続部によって一体に接続することができる。上部グランドパッドを前記下部電極層に接続することにより、放射電極における共振周波数の変動、放射特性の妨害などを防止し、放射及び信号信頼性を向上することができる。
【００２９】
また、前記屈曲接続部により、コンタクト、回路基板のような別の導電部材を形成または挿入しなくても、上部グランドパッド及び下部グランドの相互接続を容易に実現することができる。また、前記コンタクトまたは回路基板の使用時に引き起こされるアンテナ素子の厚さの増加、前記導電部材による自体ノイズの発生などを抑制することができる。
【００３０】
前記アンテナ素子は、３Ｇ以上、例えば５Ｇ高周波帯域の送受信が可能な移動通信機器を含むディスプレイ装置に、例えばフィルムアンテナの形で適用され、放射特性および透過度のような光学特性を共に向上させることができる。
【図面の簡単な説明】
【００３１】
【図１】図１は、例示的な実施形態に係るアンテナ素子を示す概略平面図である。
【図２】図２は、例示的な実施形態における屈曲された状態のアンテナ素子を示す平    面図である。
【図３】図３は、例示的な実施形態における屈曲された状態のアンテナ素子を示す側    面図である。
【図４】図４は、例示的な実施形態における屈曲された状態のアンテナ素子を示す側    面図である。
【図５】図５は、いくつかの例示的な実施形態に係るアンテナ素子を示す概略平面図    である。
【図６】図６は、いくつかの例示的な実施形態における屈曲された状態のアンテナ素    子を示す側面図である。
【図７】図７は、いくつかの例示的な実施形態に係るアンテナ素子を示す概略平面図    である。
【図８】図８は、いくつかの例示的な実施形態に係るアンテナ素子を示す概略平面図    である。
【図９】図９は、いくつかの例示的な実施形態に係るアンテナ素子を示す概略側面図    である。
【図１０】図１０は、例示的な実施形態に係るディスプレイ装置を説明するための概    略平面図である。
【発明を実施するための形態】
【００３２】
本発明の実施形態は、上部電極層および下部電極層を含み、前記上部電極層および下部電極層が誘電層を挟んで屈曲接続部によって互いに接続されているアンテナ素子を提供するものである。
【００３３】
前記アンテナ素子は、例えば、透明フィルムの形で製作されるマイクロストリップパッチアンテナ（microstrip patch antenna）であってもよい。前記アンテナ素子は、例えば、３Ｇ〜５Ｇ移動通信のための通信機器に適用できる。
【００３４】
また、本発明の実施形態は、前記アンテナ素子を含むディスプレイ装置を提供するものである。
【００３５】
以下、図面を参照して、本発明の実施形態をより具体的に説明する。ただし、本明細書に添付される図面は、本発明の好適な実施形態を例示するものであって、発明の詳細な説
明とともに本発明の技術思想をさらに理解する一助となる役割を果たすものであるため、本発明は図面に記載された事項のみに限定されて解釈されるものではない。
【００３６】
図１は、例示的な実施形態に係るアンテナ素子を示す概略平面図である。図２〜４は、例示的な実施形態における屈曲された状態のアンテナ素子を示す平面図及び側面図である。
【００３７】
具体的には、図１は、屈曲前のアンテナ素子を示す平面図である。図２は、屈曲後のアンテナ素子の平面図である。図３は、屈曲後のアンテナ素子の第２方向からの側面図である。図４は、屈曲後のアンテナ素子の第１方向からの側面図である。
【００３８】
図１において、誘電層１００の上面に平行であり、互いに交差する二つの方向を第１方向及び第２方向に定義する。例えば、前記第１方向及び第２方向は、互いに垂直に交差することができる。誘電層１００の上面に対して垂直な方向は、第３方向に定義される。例えば、前記第１方向は前記アンテナ素子の幅方向、前記第２方向は前記アンテナ素子の長さ方向、前記第３方向は前記アンテナ素子の厚さ方向に相当し得る。前記方向の定義は、他の図面でも同様に適用できる。
【００３９】
図１を参照すると、前記アンテナ素子は、誘電層１００上に形成された上部電極層１３０および下部電極層１１０を含むことができる。前記アンテナ素子は、下部電極層１１０および上部電極層１３０を接続する屈曲接続部１２０を含むことができる。
【００４０】
誘電層１００は、例えば、折り曲げできる柔軟性を有する透明樹脂物質を含むことができる。例えば、誘電層１００は、ポリエチレンテレフタレート、ポリエチレンイソフタレート、ポリエチレンナフタレート、ポリブチレンテレフタレートなどのポリエステル系樹脂；ジアセチルセルロース、トリアセチルセルロースなどのセルロース系樹脂；ポリカーボネート系樹脂；ポリメチル（メタ）アクリレート、ポリエチル（メタ）アクリレートなどのアクリル系樹脂；ポリスチレン、アクリロニトリル−スチレン共重合体などのスチレン系樹脂；ポリエチレン、ポリプロピレン、シクロ系またはノルボルネン構造を有するポリオレフィン、エチレン−プロピレン共重合体などのポリオレフィン系樹脂；塩化ビニル系樹脂；ナイロン、芳香族ポリアミドなどのアミド系樹脂；イミド系樹脂；ポリエーテルスルホン系樹脂；スルホン系樹脂；ポリエーテルエーテルケトン系樹脂；硫化ポリフェニレン系樹脂；ビニルアルコール系樹脂；塩化ビニリデン系樹脂；ビニルブチラル系樹脂；アリレート系樹脂；ポリオキシメチレン系樹脂；エポキシ系樹脂などの熱可塑性樹脂を含むことができる。これらは、単独であるいは２以上を組み合わせて使用することができる。
【００４１】
また、（メタ）アクリル系、ウレタン系、アクリルウレタン系、エポキシ系、シリコーン系などの熱硬化性樹脂または紫外線硬化型樹脂からなる透明フィルムを誘電層１００として活用してもよい。いくつかの実施形態では、また、光学透明粘着剤（Optically clear Adhesive：ＯＣＡ）、光学透明樹脂（Optically Clear Resin：ＯＣＲ）などの粘接着フィルムが誘電層１００に含まれ得る。
【００４２】
いくつかの実施形態では、誘電層１００は、ガラス、シリコン酸化物、シリコン窒化物、シリコン酸窒化物などの無機絶縁物質を含むこともできる。
【００４３】
図１に示すように、誘電層１００は、第１領域（Ｉ）、第２領域（ＩＩ）及び第３領域（ＩＩＩ）を含むことができる。例示的な実施形態によると、誘電層１００の第３領域（ＩＩＩ）は、屈曲領域で提供できる。誘電層１００が第３領域（ＩＩＩ）によって屈曲された後、第１領域（Ｉ）及び第２領域（ＩＩ）は、それぞれ上部領域及び下部領域で提供できる。
【００４４】
誘電層１００によって上部電極層１３０と下部電極層１１０との間で静電容量（capacitance）又はインダクタンス（inductance）が形成され、前記アンテナ素子が駆動又はセンシングできる周波数帯域を調節することができる。いくつかの実施形態では、誘電層１００の誘電率は、約１．５〜１２の範囲に調節できる。前記誘電率が約１２を超えると、駆動周波数が減少しすぎて、所望の高周波帯域での駆動を実現できないことがある。
【００４５】
上部電極層１３０は、誘電層１００の第１領域（Ｉ）上に配置され、放射電極１３２及びグランドパッド１３６を含むことができる。上部電極層１３０は、放射電極１３２から分岐されて延長する伝送線路１３４をさらに含むこともできる。例えば、伝送線路１３４は、放射電極１３２の中央部からグランドパッド１３６側に延長することができる。
【００４６】
グランドパッド１３６は、伝送線路１３４の末端部周辺に配置することができる。例えば、グランドパッド１３６は、リセス（recess）を含み、伝送線路１３４の前記末端部を前記リセス内に挿入することができる。一実施形態では、伝送線路１３４の前記末端部は、グランドパッド１３６と離隔したまま、前記リセス内でグランドパッド１３６と隣接するように配置することができる。
【００４７】
グランドパッド１３６を伝送線路１３４の周辺に配置することにより、伝送線路１３４を介して放射信号の送受信時に発生するノイズを効率的にフィルタリング又は低減することができる。
【００４８】
下部電極層１１０は、誘電層１００の第２領域（ＩＩ）上に配置することができる。例示的な実施形態によると、下部電極層１１０は、前記アンテナ素子の下部グランド層で提供することができる。
【００４９】
図１に示すように、下部電極層１１０は、平面上で上部電極層（例えば、放射電極１３２）よりも広い面積を持つことができる。いくつかの実施形態では、下部電極層１１０の前記第１方向及び第２方向への長さは、それぞれ上部電極層１３０よりも大きくてもよい。
【００５０】
屈曲接続部１２０は、誘電層１００の第３領域（ＩＩＩ）上に配置することができる。例示的な実施形態によると、屈曲接続部１２０は、下部電極層１１０と上部電極層１３０を互いに電気的に接続することができる。また、屈曲接続部１２０は、下部電極層１１０及び上部電極層１３０と一体に接続され、実質的に単一の部材として提供することができる。
【００５１】
いくつかの実施形態において、屈曲接続部１２０は、下部電極層１１０及び上部電極層１３０のグランドパッド１３６と一体に接続することができる。
【００５２】
上部電極層１３０、下部電極層１１０および屈曲接続部１２０は、互いに同一または異なる導電性物質を含むことができる。いくつかの実施形態では、上部電極層１３０、下部電極層１１０及び屈曲接続部１２０は、同じ金属物質を含むことができる。この場合、実質的に単一のパターニング工程により一括して形成することができる。
【００５３】
例えば、上部電極層１３０、下部電極層１１０及び屈曲接続部１２０は、 銀（Ａｇ）、金（Ａｕ）、銅（Ｃｕ）、アルミニウム（Ａｌ）、白金（Ｐｔ）、パラジウム（Ｐｄ）、クロム（Ｃｒ）、チタン（Ｔｉ）、タングステン（Ｗ）、ニオブ（Ｎｂ）、タンタル（Ｔａ）、バナジウム（Ｖ）、鉄（Ｆｅ）、マンガン（Ｍｎ）、コバルト（Ｃｏ）、ニッケル（Ｎｉ）、亜鉛（Ｚｎ）、スズ（Ｓｎ）、モリブデン（Ｍｏ）又はこれらの合金を含むことができる。これらは、単独であるいは２以上を組み合わせて使用することができる。例えば、低抵抗の実現のために、銀（Ａｇ）または銀合金（例えば銀−パラジウム−銅（ＡＰＣ）合金）を使用することができる。
【００５４】
いくつかの実施形態では、上部電極層１３０および下部電極層１１０は、互いに異なる導電物質を含むことができる。例えば、上部電極層１３０は、前述した金属または合金を、下部電極層１１０は、インジウムスズ酸化物（ＩＴＯ）、インジウム亜鉛酸化物（ＩＺＯ）などの透明導電性酸化物を含むことができる。
【００５５】
図２〜図４を参照すると、図１に示すアンテナ素子は、誘電層１００の第３領域（ＩＩＩ）により屈曲して折り曲げることができる。これにより、上部電極層１３０及び下部電極層１１０は、図２及び図４に示すように前記第３方向に重畳することができる。
【００５６】
誘電層１００の折り曲げにより、誘電層１００は、上部誘電層１０２と下部誘電層１０４に区分することができる。また、誘電層１００の第３領域（ＩＩＩ）は、屈曲誘電部１０６に変換できる。例えば、誘電層１００は、屈曲誘電部１０６によって実質的に完全に折り畳まれて、上部誘電層１０２と下部誘電層１０４が互いに接触することができる。
【００５７】
これにより、上部電極層１３０は、上部誘電層１０２の上面上に配置し、下部電極層１１０は、下部誘電層１０４の底面上に配置することができる。図３に示すように、屈曲接続部１２０は、屈曲誘電部１０６の側面に沿って共にベンディングされ得る。屈曲接続部１２０は、屈曲誘電部１０６の前記側面上でグランドパッド１３６及び下部電極層１１０と一体に接続することができる。
【００５８】
図２に点線で示すように、下部電極層１１０は、平面上で上部電極層１３０または放射電極１３２を全体的に包括するように重畳することができる。これにより、誘電層１００によるインダクタンス形成効率が増加し、グランドパッド１３６と接続されて接地効率が向上できる。
【００５９】
前述したように、屈曲接続部１２０を介して上部電極層１３０のグランドパッド１３６と下部電極層１１０を互いに接続することができる。これにより、グランドパッド１３６から発生し得るノイズまたは信号干渉を下部電極層１１０により接地、除去することができる。したがって、放射電極１３２の共振周波数のような放射特性の変動なしに信頼性のある信号送受信を実現することができる。
【００６０】
また、例示的な実施形態によると、グランドパッド１３６及び下部電極層１１０と一体に形成された屈曲接続部１２０のベンディング動作によって、上部及び下部電極層の相互接続を容易に実現することができる。
【００６１】
比較例では、アンテナの上部電極及び下部電極を接続する方法として、コンタクトを誘電層内に形成することや、プリント回路基板（ＦＰＣＢ）を使用することが考えられる。しかし、前記コンタクトを活用する場合には、エッチング工程のために誘電層の厚さが増加し、前記誘電層内でのインダクタンスを妨害することがある。また、ＦＰＣＢを使用する場合には、製造コストが増加し、ボンディング部材によるノイズが増加することがある。
【００６２】
これに対して、前述した例示的な実施形態によると、初期に同一平面上で屈曲接続部１２０をグランドパッド１３６及び下部電極層１１０と一体に形成した後、誘電層１００のベンディングと共に上部及び下部電極層１３０，１１０を定義することができる。これにより、コンタクト及びＦＰＣＢのような別の導電性部材なしに、上部及び下部電極層１３０，１１０の相互接続を容易に実現することができる。
【００６３】
図５は、いくつかの例示的な実施形態に係るアンテナ素子を示す概略平面図である。図６は、いくつかの例示的な実施形態における屈曲された状態のアンテナ素子を示す側面図である。図１〜図４と実質的に同一または類似の構成及び／又は構造については詳細な説明を省略する。
【００６４】
図５及び図６を参照すると、誘電層１００の第３領域（ＩＩＩ）または屈曲誘電部１０６上には屈曲接続部１２２を配置することができる。いくつかの実施形態では、屈曲接続部１２２は、複数の屈曲ラインを含むことができる。
【００６５】
例えば、屈曲接続部１２２は、第１屈曲ライン１２２ａ及び第２屈曲ライン１２２ｂを含むことができる。第１屈曲ライン１２２ａ及び第２屈曲ライン１２２ｂは、それぞれグランドパッド１３６から分岐して下部電極層１１０と一体に接続することができる。
【００６６】
屈曲接続部１２２を複数の屈曲ラインに分離することにより、ベンディング動作時に発生する応力を分散させることができる。これにより、前記ベンディング動作時の屈曲接続部１２２のクラックまたは破断による電気的接続不良を防止することができる。
【００６７】
図７は、いくつかの例示的な実施形態に係るアンテナ素子を示す概略平面図である。
【００６８】
図７を参照すると、上部電極層は、複数の放射電極を含み、複数のグランドパッドを一つの下部電極層１１０とそれぞれ屈曲接続部を介して電気的に接続することができる。
【００６９】
いくつかの実施形態によると、前記上部電極層は、第１放射電極１３２ａと、第２放射電極１３２ｂと、第３放射電極１３２ｃとを含むことができる。第１〜第３放射電極１３２ａ，１３２ｂ，１３２ｃは、それぞれ第１〜第３伝送線路１３４ａ，１３４ｂ，１３４ｃを介して第１〜第３グランドパッド１３６ａ，１３６ｂ，１３６ｃとカップルリングすることができる。
【００７０】
第１〜第３屈曲接続部１２０ａ，１２０ｂ，１２０ｃは、それぞれ第１〜第３グランドパッド１３６ａ，１３６ｂ，１３６ｃから延長し、下部電極層１１０と一体に接続することができる。
【００７１】
屈曲接続部１２０ａ，１２０ｂ，１２０ｃは、誘電層１００の第３領域（ＩＩＩ）により共にベンディングされ、下部電極層１１０は、誘電層１００を挟んで放射電極１３２ａ，１３２ｂ，１３２ｃと向かい合うように配置することができる。
【００７２】
下部電極層１１０は、前記ベンディングの後、平面上で第１〜第３放射電極１３２ａ，１３２ｂ，１３２ｃをすべて包括するように十分な面積を持つことができる。
【００７３】
下部電極層１１０を介して複数のグランドパッド１３６ａ，１３６ｂ，１３６ｃが接続されるので、接地、ノイズ吸収の抵抗を低減することができる。いくつかの実施形態では、第１〜第３放射電極１３２ａ，１３２ｂ，１３２ｃは、異なる位相を有することができる。この場合には、１つの下部電極層１１０によって位相差配列アンテナを実現できるので、信号の送受信効率を向上することができる。
【００７４】
図８は、いくつかの例示的な実施形態に係るアンテナ素子を示す概略平面図である。
【００７５】
図８を参照すると、前記アンテナ素子の上部電極層２３０は、メッシュ構造を含むことができる。例示的な実施形態によると、放射電極２３２は、メッシュ構造を含む。これにより、前記アンテナ素子の透過率を向上することができる。
【００７６】
放射電極２３２の周辺には、ダミーメッシュ層２４０を誘電層上に配置することができる。ダミーメッシュ層２４０および放射電極２３２は、実質的に同一の形態のメッシュ構造を含むことができる。ダミーメッシュ層２４０によって放射電極２３２の周辺の電極配列を均一化し、前記メッシュ構造又はそれに含まれる電極ラインが、前記アンテナ素子が適用されるディスプレイ装置のユーザに視認されることを防止することができる。
【００７７】
例えば、メッシュ金属層が誘電層１００上に形成され、前記メッシュ金属層が所定の領域に沿って切断され、ダミーメッシュ層２４０を放射電極２３２から電気的、物理的に隔離させることができる。
【００７８】
いくつかの実施形態では、上部電極層２３０の伝送線路２３４及びグランドパッド２３６、屈曲接続部２２０及び／又は下部電極層２１０もまた前記メッシュ構造を含むことができる。また、ダミーメッシュ層２４０は、誘電層１００の第１領域（Ｉ）、第２領域（ＩＩ）及び第３領域（ＩＩＩ）にわたって形成され、屈曲接続部２２０および下部電極層２１０の周辺にも配置することができる。
【００７９】
図９は、いくつかの例示的な実施形態に係るアンテナ素子を示す概略側面図である。
【００８０】
図９を参照すると、前述したように、誘電層１００が屈曲誘電部１０６によりベンディングされ、上部誘電層１０２および下部誘電層１０４が定義され得る。
【００８１】
下部誘電層１０４の底面上に配置された下部電極層１１０が上部電極層１３０を十分に包括するように、下部誘電層１０４の第２方向への長さは上部誘電層１０２よりも大きくてもよい。これにより、上部誘電層１０２により覆われていない部分によって段差が生じ得る。
【００８２】
例示的な実施形態によると、前記段差により露出した下部誘電層１０４の上面上に機能性構造物１５０が配置され、前記段差を除去しながらスペース効率を向上することができる。
【００８３】
例えば、機能性構造物１５０は、ディスプレイ装置に搭載されるタッチセンサー、ＩＯＴセンサーなどのセンサー構造物、または偏光板、リターダなどの光学フィルムなどを含むことができる。
【００８４】
図１０は、例示的な実施形態に係るディスプレイ装置を説明するための概略平面図である。例えば、図１０は、ディスプレイ装置のウインドウを含む外部形状を示している。
【００８５】
図１０を参照すると、ディスプレイ装置３００は、表示領域３１０及び周辺領域３２０を含むことができる。周辺領域３２０は、例えば、表示領域３１０の両側部及び／又は両端部に配置することができる。
【００８６】
いくつかの実施形態では、前述したアンテナ素子は、ディスプレイ装置３００の周辺領域３２０にパッチまたはフィルムの形で挿入することができる。いくつかの実施形態では、前記アンテナ素子の放射電極および下部電極層は、表示領域３１０と少なくとも部分的に重畳するように配置することができる。前述のように、前記下部電極層は、屈曲接続部によりベンディングされ、前記放射電極と共に表示領域３１０内に配置され得る。例えば、図８に示すように、メッシュ構造を利用して、前記放射電極がユーザに視認されることを低減することができる。
【００８７】
周辺領域３２０は、例えば、画像表示装置の遮光部又はベゼル部に相当し得る。周辺領域３２０内には、前記アンテナ素子の駆動特性および放射特性を調節し、給電信号を供給するための集積回路（ＩＣ）チップを配置することができる。
【手続補正２】
【補正対象書類名】特許請求の範囲
【補正対象項目名】全文
【補正方法】変更
【補正の内容】
【特許請求の範囲】
【請求項１】
誘電層と、
前記誘電層上に配置され、放射電極を含む上部電極層と、
前記誘電層上に配置される下部電極層と、
前記誘電層上で前記上部電極層及び前記下部電極層と一体に接続される屈曲接続部とを含む、アンテナ素子。
【請求項２】
前記誘電層は、屈曲誘電部を含み、前記屈曲誘電部によりベンディングされて上部誘電層及び下部誘電層が定義される、請求項１に記載のアンテナ素子。
【請求項３】
前記上部電極層は、前記上部誘電層の上面上に配置され、前記下部電極層は、前記下部誘電層の底面上に配置される、請求項２に記載のアンテナ素子。
【請求項４】
前記屈曲接続部は、前記屈曲誘電部の側面上に配置される、請求項２に記載のアンテナ素子。
【請求項５】
前記上部誘電層および前記下部誘電層によって段差が生じる、請求項２に記載のアンテナ素子。
【請求項６】
前記段差上に配置されるセンサー構造物または光学フィルムをさらに含む、請求項５に記載のアンテナ素子。
【請求項７】
前記上部電極層は、グランドパッドをさらに含む、請求項１に記載のアンテナ素子。
【請求項８】
前記屈曲接続部は、前記グランドパッド及び前記下部電極層と一体に接続される、請求項７に記載のアンテナ素子。
【請求項９】
前記屈曲接続部は、前記グランドパッドから分岐される複数の屈曲ラインを含む、請求項７に記載のアンテナ素子。
【請求項１０】
前記上部電極層は、前記放射電極から延長され、前記グランドパッドと隣接するように配置される伝送線路をさらに含む、請求項７に記載のアンテナ素子。
【請求項１１】
前記上部電極層は、複数の放射電極と、前記複数の放射電極のそれぞれとカップリングされる複数のグランドパッドとを含み、
前記下部電極層は、前記複数のグランドパッドと複数の屈曲接続部により一体に接続される、請求項７に記載のアンテナ素子。
【請求項１２】
前記上部電極層、前記屈曲接続部および前記下部電極層は、同じ導電物質を含む、請求項１に記載のアンテナ素子。
【請求項１３】
前記上部電極層、前記屈曲接続部および前記下部電極層は、銀（Ａｇ）、金（Ａｕ）、銅（Ｃｕ）、アルミニウム（Ａｌ）、白金（Ｐｔ）、パラジウム（Ｐｄ）、クロム（Ｃｒ）、チタン（Ｔｉ）、タングステン（Ｗ）、ニオブ（Ｎｂ）、タンタル（Ｔａ）、バナジウム（Ｖ）、鉄（Ｆｅ）、マンガン（Ｍｎ）、コバルト（Ｃｏ）、ニッケル（Ｎｉ）、亜鉛（Ｚｎ）、スズ（Ｓｎ）、モリブデン（Ｍｏ）及びこれらの合金からなる群より選択される少なくとも一つを含む、請求項１２に記載のアンテナ素子。
【請求項１４】
前記上部電極層および前記下部電極層は、互いに異なる導電物質を含む、請求項１に記載のアンテナ素子。
【請求項１５】
前記放射電極は、メッシュ構造を含む、請求項１に記載のアンテナ素子。
【請求項１６】
前記下部電極層は、メッシュ構造を含む、請求項１４に記載のアンテナ素子。
【請求項１７】
前記放射電極の周辺に配列されたダミーメッシュ層をさらに含む、請求項１５に記載のアンテナ素子。
【請求項１８】
請求項１〜１７のいずれか一項に記載のアンテナ素子を含む、ディスプレイ装置。
【手続補正３】
【補正対象書類名】図面
【補正対象項目名】全図
【補正方法】変更
【補正の内容】
【図１】
2021518070.tif 000013
【図２】
2021518070.tif 000014
【図３】
2021518070.tif 000015
【図４】
2021518070.tif 000016
【図５】
2021518070.tif 000017
【図６】
2021518070.tif 000018
【図７】
2021518070.tif 000019
【図８】
2021518070.tif 000020
【図９】
2021518070.tif 000021
【図１０】
2021518070.tif 000022
【国際調査報告】
2021518070.tif 000023
2021518070.tif 000024
2021518070.tif 000025
2021518070.tif 000026